(57)【要約】      （修正有）【課題】待受画像を提供する事業者が、ユーザの手を煩わせることなく、ユーザの所有する携帯電話端末に任意の待受画像を配信でき、またその待受画像の表示期間をコントロールすることができる待受画像配信サービスを実現する。【解決手段】ユーザの所有する携帯電話端末１は、待受画像の非表示状態から表示状態へと遷移する契機にサーバ装置３に向けて要求を送信する。サーバ装置３は、配信用の画像をその画像の有効期間を規定する情報に関連づけて蓄積しており、携帯電話端末１からもたらされる要求を受信したとき、その受信時点で有効である画像を選び出して携帯電話端末１に向けて返信する。携帯電話端末１は、この画像を受信し、これを待受画像としてディスプレイに表示させる。【選択図】図１
2010081590.tif 000002
【特許請求の範囲】
【請求項１】
ユーザの所有する携帯電話端末及び携帯電話端末と電気通信回線を介して通信可能なサーバ装置を要素とし、携帯電話端末のディスプレイに表示する待受画像を配信するシステムであって、
携帯電話端末が、
待受画像の非表示状態と表示状態との間の遷移の契機にサーバ装置に向けて要求を送信する要求送信部と、
要求に対応してサーバ装置からもたらされる画像を受信する画像受信部と、
受信した画像を記憶する画像記憶部と、
画像記憶部に記憶している画像を待受画像としてディスプレイに表示させる表示制御部と
を具備し、サーバ装置が、
配信用の画像をその画像の有効期間を規定する情報に関連づけて蓄積する画像蓄積部と、
携帯電話端末からもたらされる要求を受信する要求受信部と、
画像蓄積部に蓄積している画像の中から要求を受信した時点で有効である画像を選び出して携帯電話端末に向けて送信する画像送信部と
を具備しており、
前記携帯電話端末の要求送信部は、
ディスプレイを有する筐体と操作キーを有する筐体とをヒンジやスライド機構を介して連結してなる携帯電話端末において重なり合って閉じている両筐体が相対的に離反するように開かれたとき、
ディスプレイを有する筐体と操作キーを有する筐体とをヒンジやスライド機構を介して連結してなる携帯電話端末において両筐体が重なり合うように閉じられたとき、
ディスプレイのバックライト消灯若しくは輝度低下を伴う節電状態からバックライト点灯若しくは輝度上昇を伴う平常状態に復帰するとき、
ディスプレイのバックライト点灯若しくは輝度上昇を伴う平常状態からバックライト消灯若しくは輝度低下を伴う節電状態へと移行するとき、または、
所定のアプリケーションの実行が終了して画面表示が待受画像に遷移するとき
のうちの少なくとも一つを契機として、前記サーバ装置に向けて要求を送信する待受画像配信システム。
【請求項２】
サーバ装置の画像蓄積部は、配信用のテキストをそのテキストの有効期間を規定する情報に関連づけて蓄積し、
サーバ装置の画像送信部は、画像蓄積部に蓄積しているテキストの中から要求を受信した時点で有効であるテキストを選び出して携帯電話端末に向けて送信し、
携帯電話端末の画像受信部は、要求に対応してサーバ装置からもたらされるテキストを受信し、
携帯電話端末の画像記憶部は、受信したテキストを記憶し、
携帯電話端末の表示制御部は、画像記憶部に記憶しているテキストを待受画像に重畳してディスプレイに表示させる請求項１記載の待受画像配信システム。
【請求項３】
サーバ装置が携帯電話端末に向けて送信する画像またはテキストは、所定の店舗にて使用可能なクーポンを表象し、当該画像または当該テキストの一部にクーポンを識別するクーポン識別子を含んでおり、携帯電話端末のディスプレイにクーポンの内容とともにクーポン識別子を表示させるものであって、
サーバ装置は、
携帯電話端末に対し前記画像または前記テキストを送信することを通じて発行したクーポン、または既に使用されたクーポンを識別するクーポン識別子を記憶するクーポン識別子記憶部と、
店舗に設置され電気通信回線を介して通信可能な店舗側端末からもたらされるクーポン識別子を受信するクーポン識別子受信部と、
受信したクーポン識別子をクーポン識別子記憶部に記憶しているクーポン識別子と比較することにより、店舗で使用されようとしているクーポンが使用可能であるか否かを判断してその判断結果の情報を店舗側端末に向けて送信する判断結果送信部とをさらに具備しており、
ユーザの所有する携帯電話端末のディスプレイに表示されたクーポンのクーポン識別子を視認した者が店舗側端末に手入力して発信するそのクーポン識別子をサーバ装置が受信し、このサーバ装置から判断結果の情報を店舗側端末に返信して店舗側端末のディスプレイに表示させる請求項１または２記載の待受画像配信システム。
【請求項４】
ユーザの所有する携帯電話端末及び携帯電話端末と電気通信回線を介して通信可能なサーバ装置を要素とし、携帯電話端末のディスプレイに待受画像の一部として表示するアイコン画像、アイコン画像に対応した機能を規定するＵＲＩ（Ｕｎｉｆｏｒｍ  Ｒｅｓｏｕｒｃｅ  Ｉｄｅｎｔｉｆｉｅｒ）及びアイコン画像に付随して表示するテキストを配信するシステムであって、
携帯電話端末が、
待受画像の非表示状態と表示状態との間の遷移の契機にサーバ装置に向けて要求を送信する要求送信部と、
要求に対応してサーバ装置からもたらされる少なくともテキストを受信する画像受信部と、
受信したテキスト及びアイコン画像、アイコン画像に対応したＵＲＩを記憶する画像記憶部と、
画像記憶部に記憶しているアイコン画像を待受画像の一部としてディスプレイに表示させ、かつ画像記憶部に記憶しているテキストをアイコン画像に付随して表示させる表示制御部と
を具備し、サーバ装置が、
少なくとも配信用のテキストをそのテキストの有効期間を規定する情報に関連づけて蓄積する画像蓄積部と、
携帯電話端末からもたらされる要求を受信する要求受信部と、
少なくとも画像蓄積部に蓄積しているテキストの中から要求を受信した時点で有効であるテキストを選び出して携帯電話端末に向けて送信する画像送信部と
を具備しており、
前記携帯電話端末の要求送信部は、
ディスプレイを有する筐体と操作キーを有する筐体とをヒンジやスライド機構を介して連結してなる携帯電話端末において重なり合って閉じている両筐体が相対的に離反するように開かれたとき、
ディスプレイを有する筐体と操作キーを有する筐体とをヒンジやスライド機構を介して連結してなる携帯電話端末において両筐体が重なり合うように閉じられたとき、
ディスプレイのバックライト消灯若しくは輝度低下を伴う節電状態からバックライト点灯若しくは輝度上昇を伴う平常状態に復帰するとき、
ディスプレイのバックライト点灯若しくは輝度上昇を伴う平常状態からバックライト消灯若しくは輝度低下を伴う節電状態へと移行するとき、または、
所定のアプリケーションの実行が終了して画面表示が待受画像に遷移するとき
のうちの少なくとも一つを契機として、前記サーバ装置に向けて要求を送信する待受画像配信システム。
【請求項５】
サーバ装置の画像蓄積部は、配信用の画像またはテキストをその画像またはテキストの属するジャンルを識別する識別子に関連づけて蓄積しており、
携帯電話端末の要求送信部は、当該携帯電話端末のユーザが所望するジャンルを指定するための情報を含めた要求を送信し、
サーバ装置の画像送信部は、画像蓄積部に蓄積している画像の中からユーザ所望のジャンルの識別子に関連づけられている画像またはテキストを選び出して送信する請求項１、２、３または４記載の待受画像配信システム。
【請求項６】
請求項１、２または３記載の待受画像配信システムを構築するために用いられるものであって、
待受画像の非表示状態と表示状態との間の遷移の契機にサーバ装置に向けて要求を送信する要求送信部と、
要求に対応してサーバ装置からもたらされる画像またはテキストを受信する画像受信部と、
受信した画像またはテキストを記憶する画像記憶部と、
画像記憶部に記憶している画像またはテキストをディスプレイに表示させる表示制御部と
を具備する携帯電話端末。
【請求項７】
請求項４記載の待受画像配信システムを構築するために用いられるものであって、
待受画像の非表示状態と表示状態との間の遷移の契機にサーバ装置に向けて要求を送信する要求送信部と、
要求に対応してサーバ装置からもたらされる少なくともテキストを受信する画像受信部と、
受信したテキスト及びアイコン画像、アイコン画像に対応したＵＲＩを記憶する画像記憶部と、
画像記憶部に記憶しているアイコン画像を待受画像の一部としてディスプレイに表示させ、かつ画像記憶部に記憶しているテキストをアイコン画像に付随して表示させる表示制御部と
を具備する携帯電話端末。
【請求項８】
請求項１、２、３または４記載の待受画像配信システムを構築するために用いられるものであって、
配信用の画像またはテキストをその画像の有効期間を規定する情報に関連づけて蓄積する画像蓄積部と、
携帯電話端末からもたらされる要求を受信する要求受信部と、
画像蓄積部に蓄積している画像の中から要求を受信した時点で有効である画像またはテキストを選び出して携帯電話端末に向けて送信する画像送信部と
を具備するサーバ装置。
【請求項９】
携帯電話端末に対し前記画像または前記テキストを送信することを通じて発行したクーポン、または既に使用されたクーポンを識別するクーポン識別子を記憶するクーポン識別子記憶部と、
店舗に設置され電気通信回線を介して通信可能な店舗側端末からもたらされるクーポン識別子を受信するクーポン識別子受信部と、
受信したクーポン識別子をクーポン識別子記憶部に記憶しているクーポン識別子と比較することにより、店舗で使用されようとしているクーポンが使用可能であるか否かを判断してその判断結果の情報を店舗側端末に向けて送信する判断結果送信部とをさらに具備する請求項８記載のサーバ装置。
【請求項１０】
請求項１、２または３記載の待受画像配信システムを構築するために用いられるものであって、携帯電話端末を、
待受画像の非表示状態と表示状態との間の遷移の契機にサーバ装置に向けて要求を送信する要求送信部、
要求に対応してサーバ装置からもたらされる画像またはテキストを受信する画像受信部、
受信した画像またはテキストを記憶する画像記憶部、並びに、
画像記憶部に記憶している画像またはテキストをディスプレイに表示させる表示制御部
として機能させるプログラム。
【請求項１１】
請求項４記載の待受画像配信システムを構築するために用いられるものであって、携帯電話端末を、
待受画像の非表示状態と表示状態との間の遷移の契機にサーバ装置に向けて要求を送信する要求送信部、
要求に対応してサーバ装置からもたらされる少なくともテキストを受信する画像受信部、
受信したテキスト及びアイコン画像、アイコン画像に対応したＵＲＩを記憶する画像記憶部、並びに、
画像記憶部に記憶しているアイコン画像を待受画像の一部としてディスプレイに表示させ、かつ画像記憶部に記憶しているテキストをアイコン画像に付随して表示させる表示制御部
として機能させるプログラム。
【請求項１２】
請求項１、２、３または４記載の待受画像配信システムを構築するために用いられるものであって、サーバ装置を、
配信用の画像またはテキストをその画像の有効期間を規定する情報に関連づけて蓄積する画像蓄積部、
携帯電話端末からもたらされる要求を受信する要求受信部、並びに、
画像蓄積部に蓄積している画像またはテキストの中から要求を受信した時点で有効である画像またはテキストを選び出して携帯電話端末に向けて送信する画像送信部
として機能させるプログラム。
【請求項１３】
さらに、サーバ装置を、携帯電話端末に対し前記画像または前記テキストを送信することを通じて発行したクーポン、または既に使用されたクーポンを識別するクーポン識別子を記憶するクーポン識別子記憶部、
店舗に設置され電気通信回線を介して通信可能な店舗側端末からもたらされるクーポン識別子を受信するクーポン識別子受信部、並びに、
受信したクーポン識別子をクーポン識別子記憶部に記憶しているクーポン識別子と比較することにより、店舗で使用されようとしているクーポンが使用可能であるか否かを判断してその判断結果の情報を店舗側端末に向けて送信する判断結果送信部としても機能させる請求項１２記載のプログラム。
【発明の詳細な説明】
【技術分野】
【０００１】
本発明は、携帯電話端末のディスプレイに表示される待受画像を配信するシステムに関する。
【背景技術】
【０００２】
電源投入状態にある携帯電話端末は、そのメインディスプレイに待受画像を表示することが通例となっている。待受画像は、電源投入時のウェイクアップ画像から遷移して、または、電話の発着呼やメールの発着信、ウェブブラウジング、ゲーム等のアプリケーションが実行されていないときに現れる。携帯電話端末のユーザは、端末にプリインストールされている画像や自身で撮影した写真等、好みの画像を待受画像として選定することができる（下記非特許文献を参照）。
【０００３】
ネットワークからダウンロードした画像を待受画像として利用することも可能であり、サイト上で各種の待受画像を提供する事業者も少なくない。待受画像の提供を希望するユーザは、自らの携帯電話端末を用いてそれらのサイトにアクセスし、所望の画像をダウンロードし、その画像を待受画像に指定する操作を行う。
【先行技術文献】
【非特許文献】
【０００４】
【非特許文献１】“ＮＴＴドコモ取扱説明書”、［ｏｎｌｉｎｅ］、［平成２０年８月８日検索］、インターネット＜ＵＲＬ    http://www.nttdocomo.co.jp/support/trouble/manual/download/＞
【発明の概要】
【発明が解決しようとする課題】
【０００５】
ユーザの所有する携帯電話端末の待受画像をユーザの手によらず自動的に更新する配信サービスは、未だ存在していない。新しい待受画像へ切り替えたい場合、あくまでもユーザ自身の手で上記の操作を遂行せざるを得ず、ユーザの手を煩わせることとなる。
【０００６】
他方、待受画像を提供する事業者の側に立てば、待受画像の定期配信を実施したい、特定の待受画像をある一定の時期に携帯電話端末上で表示させて宣伝や広報に利用したい、といったニーズが確かにある。が、現状ではこのようなニーズに応えることも困難である。
【０００７】
以上に着目してなされた本発明は、待受画像を提供する事業者が、ユーザの手を煩わせることなく、ユーザの所有する携帯電話端末に任意の待受画像を配信でき、またその待受画像の表示期間をコントロールすることができる待受画像配信サービスを実現することを主たる目的としている。
【課題を解決するための手段】
【０００８】
本発明では、ユーザの所有する携帯電話端末及び携帯電話端末と電気通信回線を介して通信可能なサーバ装置を要素とし、携帯電話端末のディスプレイに表示させる待受画像を配信するシステムであって、携帯電話端末が、待受画像の非表示状態から表示状態へと遷移する契機にサーバ装置に向けて要求を送信する要求送信部と、要求に対応してサーバ装置からもたらされる画像を受信する画像受信部と、受信した画像を記憶する画像記憶部と、画像記憶部に記憶している画像を待受画像としてディスプレイに表示させる表示制御部とを具備し、サーバ装置が、配信用の画像をその画像の有効期間を規定する情報に関連づけて蓄積する画像蓄積部と、携帯電話端末からもたらされる要求を受信する要求受信部と、画像蓄積部に蓄積している画像の中から要求を受信した時点で有効である画像を選び出して携帯電話端末に向けて送信する画像送信部とを具備する待受画像配信システムを構成した。ここで、「待受画像の非表示状態と表示状態との間の遷移の契機」とは、携帯電話端末に電源が投入されてウェイクアップするとき、ディスプレイを有する筐体と操作キーを有する筐体とをヒンジやスライド機構を介して連結してなる（いわゆる折り畳み型、スライド型、回転オープン型等の）携帯電話端末において重なり合って閉じている両筐体が相対的に離反するように開かれたとき、ディスプレイのバックライト消灯や輝度低下等の節電状態からバックライト点灯や輝度上昇等の平常状態に復帰するとき、所定のアプリケーション（電話の発着呼やメールの発着信、ウェブブラウジング、ゲーム等）の実行が終了して画面表示が待受画像に遷移するとき、のうちの少なくとも一つを含む。「画像」は、静止画であるか動画であるかを問わない。
【０００９】
本発明の待受画像配信システムでは、折り畳まれていた携帯電話端末が開かれる等を契機として携帯電話端末がサーバ装置に自動的に要求を送信し、現在時点で表示するべき画像をダウンロードし、ダウンロードした画像を待受画像としてディスプレイに表示する。待受画像の非表示状態と表示状態との間の遷移の契機、とりわけ携帯電話端末を開閉する機会は幾らでもあり、その都度携帯電話端末からサーバ装置にアクセスして、必要であれば新しい待受画像を取得する。これにより、ユーザから見れば、特段の入力操作を行わずとも勝手に待ち受け画像が更新されるという、簡便かつ自然なユーザビリティが具現される。待受画像の提供者から見れば、ユーザの携帯電話端末に、任意の待受画像を任意の時期に表示させることができ、待受画像を定期配信したり、待受画像を媒体として宣伝や広報を実施したりすることが可能になる。
【００１０】
サーバ装置が、配信用の画像の提供者が使用する情報処理端末と電気通信回線を介して通信可能であって、情報処理端末からもたらされる、配信用の画像及びその画像の有効期間を規定する情報または既に蓄積している画像の有効期間を変更するための情報を受信する設定受信部をさらに具備しており、受信した画像及びその有効期間または既に蓄積している画像に係る変更後の有効期間を画像蓄積部に蓄積するシステムとすれば、配信用画像の提供者が待受画像を随時アップロードでき、その待受画像の表示期間の随時変更も容易となる。ここで、「情報処理端末」とは、パーソナルコンピュータ、ワークステーション、ＰＤＡ（Ｐｅｒｓｏｎａｌ  Ｄｉｇｉｔａｌ  Ａｓｓｉｓｔａｎｔ）、携帯電話端末等を包括した概念である。
【００１１】
サーバ装置の画像蓄積部が、配信用の画像をその画像の属するジャンルを識別する識別子に関連づけて蓄積しており、携帯電話端末の要求送信部が、当該携帯電話端末のユーザが所望するジャンルを指定するための情報を含めた要求を送信し、サーバ装置の画像送信部が、画像蓄積部に蓄積している画像の中からユーザ所望のジャンルの識別子に関連づけられている画像を選び出して送信するものとすれば、個々のユーザの嗜好に応じた待受画像を配信することができる。「ジャンル」には様々なものが想定されるが、例えば、芸能人やアーティスト、スポーツ選手等を素材とした待受画像配信サービスであれば、個々人またはグループがそれぞれ一ジャンルとなり得るし、その活動内容に応じた分類（ミュージシャン、アイドル、俳優、芸人、野球選手、サッカー選手、等々）もまた各ジャンルとなり得る。所属事務所、所属チーム、性別、世代といった括りでジャンルとすることも可能である。
【００１２】
サーバ装置の画像蓄積部が、配信用のテキストをそのテキストの有効期間を規定する情報に関連づけて蓄積し、サーバ装置の画像送信部が、画像蓄積部に蓄積しているテキストの中から要求を受信した時点で有効であるテキストを選び出して携帯電話端末に向けて送信し、携帯電話端末の画像受信部が、要求に対応してサーバ装置からもたらされるテキストを受信し、携帯電話端末の画像記憶部が、受信したテキストを記憶し、携帯電話端末の表示制御部が、画像記憶部に記憶しているテキストを待受画像に重畳してディスプレイに表示させるものとすれば、配信用画像の提供者やその他の事業者がユーザに対して告知したいメッセージをより確実にユーザに伝えることができる。
【００１３】
また、何らかの商品またはサービスを提供する店舗ないし事業者は、本願発明の待受画像配信システムを用いて、携帯電話端末のユーザに、特定の時間帯または日にのみ有効な仮想的なクーポンを配布することが可能である。例えば、店舗ないし事業者のコーポレートイメージや写真、イラスト等を待受画像データとし、クーポンの内容をテキストデータとして、待受画像及びテキストを配信する。そして、待受画像、テキストの各々の有効期間を別々に設定しておけば、特定の時間帯または日に即時的にテキストのみを差し替え、その表示画面をクーポンとして店舗において提示してユーザに使って貰うことができるようになる。
【００１４】
携帯電話端末のユーザに配布したクーポンについて、使用済みのものを無効化する機能をシステムに実装するためには、クーポンを表象する画像またはテキストの一部にクーポンを識別するクーポン識別子を含ませ、携帯電話端末のディスプレイにクーポンの内容とともにクーポン識別子を表示させることとし、さらに、サーバ装置に、携帯電話端末に対し前記画像または前記テキストを送信することを通じて発行したクーポン、または既に使用されたクーポンを識別するクーポン識別子を記憶するクーポン識別子記憶部と、店舗に設置され電気通信回線を介して通信可能な店舗側端末からもたらされるクーポン識別子を受信するクーポン識別子受信部と、受信したクーポン識別子をクーポン識別子記憶部に記憶しているクーポン識別子と比較することにより、店舗で使用されようとしているクーポンが使用可能であるか否かを判断してその判断結果の情報を店舗側端末に向けて送信する判断結果送信部とを具備させればよい。店舗側の人間は、ユーザの所有する携帯電話端末のディスプレイに表示されたクーポンのクーポン識別子を視認した上、そのクーポン識別子を店舗側端末に手入力してサーバに向けて発信し、サーバ装置から返信される判断結果の情報を受信して、クーポンが使用可能なものであるかどうかを知ることができる。加えて、このようなシステムであれば、クーポンが使用されようとしている事実をサーバ装置が関知することができるため、使用されたクーポンの枚数等を集計して宣伝効果、プロモーション効果を推し量るといったことも可能となる。
【発明の効果】
【００１５】
本発明によれば、待受画像を提供する事業者が、ユーザの手を煩わせることなく、ユーザの所有する携帯電話端末に任意の待受画像を配信でき、またその待受画像の表示期間をコントロールすることができる待受画像配信サービスが実現される。
【図面の簡単な説明】
【００１６】
【図１】本発明の一実施形態の待受画像配信システムの全体構成を示す図。
【図２】同実施形態における携帯電話端末のハードウェア資源構成図。
【図３】同携帯電話端末の機能ブロック図。
【図４】同実施形態における情報処理端末のハードウェア資源構成図。
【図５】同実施形態におけるサーバ装置のハードウェア資源構成図。
【図６】同サーバ装置の機能ブロック図。
【図７】同サーバ装置が蓄積する待受画像やその他の情報を例示する図。
【図８】同サーバ装置が蓄積するユーザ情報を例示する図。
【図９】同実施形態の待受画像配信システムで実行する処理の手順を示すフローチャート。
【図１０】同実施形態の待受画像配信システムで実行する処理の手順を示すフローチャート。
【図１１】携帯電話端末上での待受画像及びテキストの表示例を示す図。
【図１２】携帯電話端末上での待受画像及びテキストの表示例を示す図。
【図１３】本発明の一実施形態の待受画像配信システムの全体構成を示す図。
【図１４】同実施形態における店舗側端末のハードウェア資源構成図。
【図１５】同実施形態におけるサーバ装置の機能ブロック図。
【図１６】携帯電話端末上での待受画像及びテキストの表示例を示す図。
【図１７】同実施形態の待受画像配信システムで実行する処理の手順を示すフローチャート。
【図１８】同実施形態の待受画像配信システムで実行する処理の手順を示すフローチャート。
【図１９】同実施形態の待受画像配信システムで実行する処理の手順を示すフローチャート。
【図２０】本発明の一実施形態における携帯電話端末の機能ブロック図。
【図２１】携帯電話端末上での待受画像及びアイコンの表示例を示す図。
【図２２】同実施形態の待受画像配信システムで実行する処理の手順を示すフローチャート。
【図２３】同実施形態の待受画像配信システムで実行する処理の手順を示すフローチャート。
【図２４】同実施形態の待受画像配信システムで実行する処理の手順を示すフローチャート。
【図２５】同実施形態の待受画像配信システムで実行する処理の手順を示すフローチャート。
【図２６】本発明の一実施形態における、携帯電話端末上での待受画像、アイコン及びテキストの表示例を示す図。
【図２７】同実施形態における携帯電話端末が蓄積するアイコン画像やその他の情報を例示する図。
【図２８】同実施形態におけるサーバ装置が蓄積するアイコン画像やその他の情報を例示する図。
【図２９】同実施形態の待受画像配信システムで実行する処理の手順を示すフローチャート。
【図３０】同実施形態の待受画像配信システムで実行する処理の手順を示すフローチャート。
【図３１】同実施形態の待受画像配信システムで実行する処理の手順を示すフローチャート。
【図３２】同実施形態の待受画像配信システムで実行する処理の手順を示すフローチャート。
【発明を実施するための形態】
【００１７】
＜第一実施形態＞本発明の実施の形態を、図面を参照して説明する。本実施形態の待受画像配信システムは、図１に示すように、ユーザの所有する携帯電話端末１と、配信用の画像の提供者が使用する情報処理端末２と、携帯電話端末１及び情報処理端末２とそれぞれ電気通信回線（携帯電話網、ＰＨＳ（Ｐｅｒｓｏｎａｌ  Ｈａｎｄｙ−ｐｈｏｎｅ  Ｓｙｓｔｅｍ）網、ＩＰ（Ｉｎｔｅｒｎｅｔ  Ｐｒｏｔｏｃｏｌ）網等）を介して通信可能なサーバ装置３とを主たる構成要素とする。
【００１８】
携帯電話端末１は、図２に示すように、プロセッサ１ａ、メインメモリ１ｂ、補助記憶デバイス１ｃ、表示制御デバイス１ｄ、ディスプレイ１ｅ、操作入力デバイス１ｆ、音声入出力デバイス１ｇ、開閉検知センサ１ｈ、通信インタフェース１ｉ等のハードウェア資源を備える。プロセッサ１ａは、ＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）等である。補助記憶デバイス１ｃは、フラッシュメモリ、ハードディスクドライブ、光学ディスクドライブ等である。表示制御デバイス１ｄは、プロセッサ１ａより受けた描画指令を基に表示させる画像データを生成しディスプレイ１ｅに向けて送出するビデオチップ（グラフィクスチップ）、画像データ等を一時記憶しておくビデオメモリ等を要素とする。操作入力デバイス１ｆは、手指で操作可能な操作キー、キーボードや、タッチパネル等のポインティングデバイスである。音声入出力デバイス１ｇは、スピーカ及びマイク等を要素とする。開閉検知センサ１ｈは、携帯電話端末１が折り畳み型、スライド型、回転オープン型等のものである場合に、その筐体が開いているか閉じているかを検出するもので、磁気センサ、光学センサ、マイクロスイッチやその他任意のセンサを採用することができる。通信インタフェース１ｉは、電気通信回線を介した情報通信を担うデバイスである。一般に、携帯電話端末１にあっては、携帯電話網またはＰＨＳ網の基地局と無線通信するための無線通信デバイス、あるいは無線ＬＡＮ（Ｌｏｃａｌ  Ａｒｅａ  Ｎｅｔｗｏｒｋ）トランシーバ等である。
【００１９】
通常、プロセッサ１ａによって実行されるべきプログラムが補助記憶デバイス１ｃにインストールされており、プログラムの実行の際には補助記憶デバイス１ｃからメインメモリ１ｂに読み込まれ、プロセッサ１ａによって解読される。携帯電話端末１には、ＯＳ（Ｏｐｅｒａｔｉｎｇ  Ｓｙｓｔｅｍ）プログラムやこれに付帯する各種デバイスドライバプログラムがインストールされ、他のプログラムによる上記ハードウェア資源の利用を仲介する。その上で、本待受画像配信システムの構築に必要なプログラムがインストールされており、これらプログラムに従い上記ハードウェア資源を作動して、図３に示す要求送信部１０１、画像受信部１０２、画像記憶部１０３、表示制御部１０４としての機能を発揮する。
【００２０】
要求送信部１０１は、待受画像の非表示状態と表示状態との間の遷移の契機に、サーバ装置３に向けて要求を送信する。具体的には、携帯電話端末１に電源が投入されてウェイクアップするとき、または携帯電話端末１の筐体が開かれたことを開閉検知センサ１ｈを介して感知したときに、要求を発する。尤も、電話の発着呼やメールの発着信、ウェブブラウジング等の実行が終了して画面表示が待受画像に遷移するときに要求を発してもよく、節電状態にある携帯電話端末１が操作入力デバイス１ｆを介した何らかの操作を受け付けて（節電を止めた）平常状態に復帰するときに要求を発してもよい。携帯電話端末１から送信する要求には、ユーザ（または、携帯電話端末１）を識別する識別子、例えば携帯電話端末１の個体識別番号等が含まれる。後述するが、この識別子は、当該携帯電話端末１のユーザが所望する画像のジャンルを指定するための情報となる。また、携帯電話端末１から送信する要求に、携帯電話端末１のディスプレイ１ｅの画面寸法の情報等が含まれることもある。
【００２１】
画像受信部１０２は、前記要求に対応してサーバ装置３から画像が返信されてきたときに、これを受信する。待受画像に重畳して表示するためのテキストが返信されてきたときにも、これを受信する。
【００２２】
画像記憶部１０３は、メインメモリ１ｂまたは補助記憶デバイス１ｃの記憶領域を利用して、受信した画像及び／またはテキストを記憶する。
【００２３】
表示制御部１０４は、待受画像を表示するべき状況下において、画像記憶部１０３に記憶している画像をディスプレイ１ｅの画面に表示させる。画像記憶部１０３にテキストを記憶している場合には、そのテキストをも待受画像に重畳してディスプレイ１ｅの画面に表示させる。
【００２４】
情報処理端末２は、図４に示すように、プロセッサ２ａ、メインメモリ２ｂ、補助記憶デバイス２ｃ、表示制御デバイス２ｄ、ディスプレイ２ｅ、操作入力デバイス２ｆ、通信インタフェース２ｇ等のハードウェア資源を備える。通信インタフェース２ｇは、ＮＩＣ（Ｎｅｔｗｏｒｋ  Ｉｎｔｅｒｆａｃｅ  Ｃａｒｄ）やＵＳＢ（Ｕｎｉｖｅｒｓａｌ  Ｓｅｒｉａｌ  Ｂｕｓ）といったインタフェース、携帯電話網またはＰＨＳ網の基地局と無線通信するための無線通信デバイス、あるいは無線ＬＡＮトランシーバである。
【００２５】
通常、プロセッサ２ａによって実行されるべきプログラムが補助記憶デバイス２ｃに格納されており、プログラムの実行の際には補助記憶デバイス２ｃからメインメモリ２ｂに読み込まれ、プロセッサ２ａによって解読される。情報処理端末２には、ＯＳプログラムやこれに付帯する各種デバイスドライバプログラムがインストールされ、他のプログラムによる上記ハードウェア資源の利用を仲介する。加えて、配信用画像等をサーバ装置３と受け渡しするためのプログラムとして、ウェブブラウザプログラムや電子メールクライアントプログラム等がインストールされている。
【００２６】
サーバ装置３は、図５に示すように、プロセッサ３ａ、メインメモリ３ｂ、補助記憶デバイス３ｃ、表示制御デバイス３ｄ、ディスプレイ３ｅ、操作入力デバイス３ｆ、通信インタフェース３ｇ等のハードウェア資源を備える。
【００２７】
通常、プロセッサ３ａによって実行されるべきプログラムが補助記憶デバイス３ｃに格納されており、プログラムの実行の際には補助記憶デバイス３ｃからメインメモリ３ｂに読み込まれ、プロセッサ３ａによって解読される。サーバ装置３には、ＯＳプログラムやこれに付帯する各種デバイスドライバプログラムがインストールされ、他のプログラムによる上記ハードウェア資源の利用を仲介する。加えて、携帯電話端末１及び情報処理端末２に対するフロントエンドプログラムとして、ウェブサーバプログラム、電子メールサーバプログラム等がインストールされている。その上で、本待受画像配信システムの構築に必要なプログラムがインストールされており、これらプログラムに従い上記ハードウェア資源を作動して、図６に示す画像蓄積部３０１、ユーザ情報蓄積部３０２、要求受信部３０３、画像送信部３０４、設定受信部３０５としての機能を発揮する。
【００２８】
画像蓄積部３０１は、メインメモリ３ｂまたは補助記憶デバイス３ｃの記憶領域を利用して、配信用の画像を蓄積する。本実施形態では、図７に例示するように、待受画像のデータを、当該画像データを識別する識別子（典型的には、画像データファイルのファイルネームまたはファイルパス）、及び、当該待受画像の有効期間、換言すれば当該待受画像を携帯電話端末１上で表示させる期間を規定する情報に関連づけて蓄積している。のみならず、待受画像のデータに、当該待受画像の属するジャンルを識別する識別子、さらには画像寸法の情報をも付帯させている。但し、画像寸法の情報は、当該画像データファイルのヘッダに記述されることがある。配信用のテキストについても、当該テキストデータを識別する識別子、及びそのテキストの有効期間を規定する情報に関連づけて蓄積する。配信用のテキストのデータには、当該テキストの属するジャンルの識別子を付帯させている。
【００２９】
ユーザ情報蓄積部３０２は、メインメモリ３ｂまたは補助記憶デバイス３ｃの記憶領域を利用して、本待受画像配信システムの利用ユーザに関する情報を蓄積する。本待受画像配信システムの利用を希望するユーザは、予めユーザ登録を行い、自己が所望する待受画像のジャンルをサーバ装置３に通告しておく。そして、ユーザ情報蓄積部３０２は、図８に例示するように、各ユーザが所望するジャンルを識別する識別子を、当該ユーザを識別する識別子に関連づけて蓄積する。この情報を参照して、ユーザの識別子から、ユーザの所望ジャンルを一意に導き出すことができる。つまり、ユーザの識別子が、配信するべき待受画像及び／またはテキストのジャンルを指定する情報としての意味を持つことになる。加えて、本実施形態では、各ユーザ毎の待受画像及び／またはテキストの配信履歴として、過去にユーザに配信した待受画像データ及び／またはテキストデータの識別子を、当該ユーザを識別する識別子に関連づけて蓄積する。配信履歴を蓄積するのは、同一の携帯電話端末１に向けて同一のデータを繰り返し送信することを避けるためである。
【００３０】
要求受信部３０３は、携帯電話端末１から送信される要求を受信する。既述の通り、要求には、ユーザを識別する識別子や、携帯電話端末１のディスプレイ１ｅの画面寸法の情報等が含まれている。
【００３１】
画像送信部３０４は、画像蓄積部３０１に蓄積している画像の中から要求を受信した時点で有効である画像及び／またはテキストを選び出し、要求を発した携帯電話端末１に向けて返信する。このとき、予めユーザが登録している所望ジャンルの画像及び／またはテキストを選び出して配信するものとしている。待受画像の配信にあたり、好ましくは、ユーザの所有する携帯電話端末１のディスプレイ１ｅの画面寸法に合致した画像を選び出して配信するか、画像をディスプレイ１ｅの画面寸法に合わせて拡大または縮小する変換処理を実施した上で送信する。
【００３２】
設定受信部３０５は、情報処理端末２から送信される、配信用の画像及びその画像の有効期間を規定する情報、または、既に蓄積している画像の有効期間を変更するための情報を受信する。配信用の画像の提供者は、情報処理端末２を使用して、配信用の画像データ、画像の有効期間及び画像の属するジャンルの識別子をサーバ装置３にアップロードする。既にアップロードしている画像の有効期間やジャンルを変更したい場合には、対象となる画像の識別子とともに、その画像に係る変更後の有効期間またはジャンルの識別子を送信する。これらのやりとりには、ウェブフォーム、電子メール等の既知のプロトコルが用いられる。設定受信部３０５は、アップロードされる画像、有効期間及びジャンルの識別子を受信して、これを画像蓄積部３０１に新規に蓄積する。あるいは、有効期間またはジャンルを変更する画像の識別子と、変更後の有効期間またはジャンルの識別子とを受信した上、画像蓄積部３０１に蓄積している同一の識別子で識別される画像に係る有効期間またはジャンルの情報を、受信した内容に書き換える。同様にして、配信用のテキストについても、アップロード、有効期間及びジャンルの設定登録または設定変更を受け付けることができる。
【００３３】
待受画像の配信に際して実行する処理の手順を、図９及び図１０のフローチャートに示している。携帯電話端末１は、電源投入時や携帯電話端末１の筐体が開かれたとき等の、待受画像の非表示状態から表示状態へと遷移する契機に（ステップＳ１）、サーバ装置３に向けて要求を送信する（ステップＳ２）。
【００３４】
サーバ装置３は、携帯電話端末１から送信される要求を受信したとき（ステップＳ３）、この要求に含まれるユーザの識別子をキーとしてユーザ情報蓄積部３０２を検索し、当該ユーザの所望するジャンルの識別子を知得する（ステップＳ４）。次いで、所望ジャンルの識別子をキーとして画像蓄積部３０１を検索し、現時点が有効期間に含まれる画像を選び出す（ステップＳ５）。そして、選び出した画像の識別子が前記ユーザの識別子に関連づけられている配信履歴に含まれていないことを条件として（ステップＳ６）、換言すれば選び出した画像を既にユーザの携帯電話端末１に配信していないことを条件として、この画像をユーザの携帯電話端末１に向けて返信する（ステップＳ７）とともに、前記ユーザの識別子に関連づけられている配信履歴にこの画像の識別子を追記する（ステップＳ８）。なお、理想的には、ユーザの所有する携帯電話端末１のディスプレイ１ｅの画面寸法に合致した大きさの待受画像を配信することが望ましい。よって、ステップＳ５にて、前記要求に含まれる画面寸法の情報をも参照してこれに合致した画像を選び出すか、あるいはステップＳ７にて、前記要求に含まれる画面寸法の情報をも参照して画像をその画面寸法に拡大または縮小した上で送信するようにする。
【００３５】
また、ステップＳ５ないしＳ８と相前後して、所望ジャンルの識別子をキーとして画像蓄積部３０１を検索し、現時点が有効期間に含まれるテキストを選び出す（ステップＳ９）。そして、選び出したテキストの識別子が前記ユーザの識別子に関連づけられている配信履歴に含まれていないことを条件として（ステップＳ１０）、このテキストをユーザの携帯電話端末１に向けて返信する（ステップＳ１１）とともに、前記ユーザの識別子に関連づけられている配信履歴にこの画像の識別子を追記する（ステップＳ１２）。
【００３６】
携帯電話端末１は、サーバ装置３から画像及び／またはテキストが返信されてきたときにこれを受信し（ステップＳ１３、Ｓ１５）、画像記憶部１０３に記憶する（ステップＳ１４、Ｓ１６）。
【００３７】
しかして、携帯電話端末１は、画像記憶部１０３に記憶している画像を読み出し（ステップＳ１７）、その画像を待受画像としてディスプレイ１ｅの画面に表示させる（ステップＳ１８）。また、画像記憶部１０３に記憶しているテキストを読み出し（ステップＳ１９）、そのテキストを待受画像に重畳してディスプレイ１ｅの画面に表示させる（ステップＳ２０）。
【００３８】
携帯電話端末１上での待受画像４１、４２及びテキスト５１、５２の表示例を、図１１、図１２に示す。テキスト５１、５２は、待受画像４１、４２の上をスクロールするテロップの形で表示する。一例として、待受画像４１の有効期間が９月２０日１０時から１０月１５日２４時まで、待受画像４２の有効期間が１０月１６日０時から１０月３１日２４時までだとすると、１０月１５日以前は図１１に示す待受画像４１が携帯電話端末１上で表示されるが、翌１６日に携帯電話端末１の筐体を開いたときには図１２に示す待受画像４２が携帯電話端末１上で表示される。ユーザの目からは、自身の手で画像４２をダウンロードして待受画像に選定する操作を行なった訳ではないのに、知らないうちに待受画像が更新されたように見える。待受画像４１、４２を提供する事業者の側からすれば、１０月１６日に至った時点で確実に待受画像４２を表示させることができるため、この待受画像４２を利用して、例えば１０月１６日に新発売となる商品の告知や宣伝を行なうことが可能となる。待受画像４１、４２に重畳して表示させるテキスト５１、５２についても、待受画像４１、４２とは別個に有効期間即ち表示期間を設定することが可能である。待受画像４１、４２の更新スケジュールと、テキスト５１、５２の更新スケジュールとの組み合わせにより、様々な告知、宣伝、プロモーション等を時機を逃さず実施することができる。
【００３９】
本実施形態によれば、ユーザの所有する携帯電話端末１及び携帯電話端末１と電気通信回線を介して通信可能なサーバ装置３を要素とし、携帯電話端末１のディスプレイに表示させる待受画像を配信するシステムであって、携帯電話端末１が、待受画像の非表示状態から表示状態へと遷移する契機にサーバ装置３に向けて要求を送信する要求送信部１０１と、要求に対応してサーバ装置３からもたらされる画像を受信する画像受信部１０２と、受信した画像を記憶する画像記憶部１０３と、画像記憶部１０３に記憶している画像を待受画像としてディスプレイに表示させる表示制御部１０４とを具備し、サーバ装置３が、配信用の画像をその画像の有効期間を規定する情報に関連づけて蓄積する画像蓄積部３０１と、携帯電話端末１からもたらされる要求を受信する要求受信部３０３と、画像蓄積部３０１に蓄積している画像の中から要求を受信した時点で有効である画像を選び出して携帯電話端末１に向けて送信する画像送信部３０４とを具備する待受画像配信システムを構成したため、ユーザから見れば、特段の入力操作を行わずとも勝手に待ち受け画像が更新されるという、簡便かつ自然なユーザビリティが具現される。待受画像の提供者から見れば、ユーザの携帯電話端末１に、任意の待受画像を任意の時期に表示させることができ、待受画像を定期配信したり、待受画像を媒体として宣伝や広報を実施したりすることが可能になる。
【００４０】
サーバ装置３が、配信用の画像の提供者が使用する情報処理端末２と電気通信回線を介して通信可能であって、情報処理端末２からもたらされる、配信用の画像及びその画像の有効期間を規定する情報または既に蓄積している画像の有効期間を変更するための情報を受信する設定受信部３０５をさらに具備しており、受信した画像及びその有効期間または既に蓄積している画像に係る変更後の有効期間を画像蓄積部３０１に蓄積するシステムとしたため、配信用画像の提供者が待受画像を随時アップロードでき、その待受画像の表示期間の随時変更も容易となる。
【００４１】
サーバ装置３の画像蓄積部３０１が、配信用の画像をその画像の属するジャンルを識別する識別子に関連づけて蓄積しており、携帯電話端末１の要求送信部１０１が、当該携帯電話端末１のユーザが所望するジャンルを指定するための情報を含めた要求を送信し、サーバ装置３の画像送信部３０４が、画像蓄積部３０１に蓄積している画像の中からユーザ所望のジャンルの識別子に関連づけられている画像を選び出して送信するものとしたため、個々のユーザの嗜好に応じた待受画像を適確に配信することができる。
【００４２】
サーバ装置３の画像蓄積部３０１が、配信用のテキストをそのテキストの有効期間を規定する情報に関連づけて蓄積し、サーバ装置３の画像送信部３０４が、画像蓄積部３０１に蓄積しているテキストの中から要求を受信した時点で有効であるテキストを選び出して携帯電話端末１に向けて送信し、携帯電話端末１の画像受信部１０２が、要求に対応してサーバ装置３からもたらされるテキストを受信し、携帯電話端末１の画像記憶部１０３が、受信したテキストを記憶し、携帯電話端末１の表示制御部１０４が、画像記憶部１０３に記憶しているテキストを待受画像に重畳してディスプレイに表示させるものとしたため、配信用画像の提供者やその他の事業者がユーザに対して告知したいメッセージをより確実にユーザに伝えることができる。
【００４３】
なお、上記実施形態における要求送信（ひいては、待受画像のダウンロード）の機会（ステップＳ１）は、待受画像の非表示状態から表示状態へと遷移する契機であったが、これとは逆に、携帯電話端末１の筐体が閉じられたときや、平常状態から節電状態へと移行するとき等の、待受画像の表示状態から非表示状態へと遷移する契機に要求送信を実行するようにしてもよい。
【００４４】
上記実施形態では、携帯電話端末１のユーザが所望するジャンルを指定するための情報として、当該ユーザを識別する識別子を要求に含めて送信（ステップＳ２）していたが、携帯電話端末１のメインメモリ１ｂまたは補助記憶デバイス１ｃにユーザ所望のジャンルを識別する識別子を記憶させておき、このジャンルの識別子を要求に含めて送信するようにしてもよい。
【００４５】
上記実施形態では、サーバ装置３側で各ユーザ毎の画像／テキストの配信履歴を記録（ステップＳ８、Ｓ１２）管理することにより、同一の画像／テキストを幾度も配信してしまう事象を回避するようにしていたが、これ以外の手法をとることも考えられる。例えば、サーバ装置３（の画像蓄積部３０１）に、配信用の各画像／テキストデータのタイムスタンプ（更新日時、即ち当該データがサーバ装置３にアップロードされた日時）情報を記憶させておき、画像／テキストデータの配信の際にタイムスタンプ情報をも送受信して、携帯電話端末１（の画像記憶部１０３）にもこれを記憶させる。その上で、サーバ装置３は、携帯電話端末１からの要求を受け付けたときに、その時点で有効な画像／テキストのタイムスタンプ情報をまず情報処理端末１に返信する。サーバ装置３からもたらされるタイムスタンプ情報を受信した携帯電話端末１は、自身に記憶しているタイムスタンプ情報との比較を行い、受信したタイムスタンプ情報の方が新しいことを条件として、実際の画像／テキストデータのダウンロード要求を発する。サーバ装置３は、このダウンロード要求を受けてはじめて、対象の画像／テキストデータを携帯電話端末１に配信する。
【００４６】
また、本発明のシステムを用いて、待受画像に替えて着信音や楽曲（いわゆる着メロ、着うた等）を配信することも可能である。
【００４７】
＜第二実施形態＞続いて述べる第二実施形態は、第一実施形態の待受画像配信システムを援用して、何らかの商品またはサービスを提供する店舗ないし事業者が、携帯電話端末のユーザに、特定の時間帯または日にのみ有効な仮想的なクーポンを配布するものである。以降、第一実施形態との相異点を中心に説明する。特記しない事項については、第一実施形態と同様に構成してよい。
【００４８】
本実施形態の待受画像配信システムは、図１３に示すように、ユーザの所有する携帯電話端末１と、クーポンが使用される店舗等に設置される店舗側端末６と、携帯電話端末１及び店舗側端末６とそれぞれ電気通信回線を介して通信可能なサーバ装置３とを主たる構成要素とする。
【００４９】
本実施形態において、携帯電話端末１の機能は、基本的に第一実施形態のそれに準ずる。携帯電話端末１の画像記憶部１０３には、画像／テキストとともに、当該画像／当該テキストのタイムスタンプ（画像／テキストが最後にサーバ装置３にアップロードされた日時、最終更新日時）情報をも記憶している。タイムスタンプ情報は、画像／テキストの送受信処理に際して、サーバ装置３からもたらされるものである。
【００５０】
店舗側端末６は、図１４に示すように、プロセッサ６ａ、メインメモリ６ｂ、補助記憶デバイス６ｃ、表示制御デバイス６ｄ、ディスプレイ６ｅ、操作入力デバイス６ｆ、通信インタフェース６ｇ等のハードウェア資源を備える。
【００５１】
通常、プロセッサ６ａによって実行されるべきプログラムが補助記憶デバイス６ｃに格納されており、プログラムの実行の際には補助記憶デバイス６ｃからメインメモリ６ｂに読み込まれ、プロセッサ６ａによって解読される。情報処理端末６には、ＯＳプログラムやこれに付帯する各種デバイスドライバプログラムがインストールされ、他のプログラムによる上記ハードウェア資源の利用を仲介する。加えて、クーポン識別子等をサーバ装置３と受け渡しするためのプログラムとして、ウェブブラウザプログラムや電子メールクライアントプログラム等がインストールされている。
【００５２】
この店舗側端末６は、第一実施形態における情報処理端末２と同一のものであってもよい。
【００５３】
一方、本実施形態におけるサーバ装置３は、プログラムに従ってハードウェア資源を作動し、図１５に示すように、画像蓄積部３０１、ユーザ情報蓄積部３０２、要求受信部３０３、画像送信部３０４、設定受信部３０５に加え、クーポン識別子記憶部３０６、クーポン識別子受信部３０７、判断結果送信部３０８としての機能をも発揮する。
【００５４】
画像蓄積部３０１は、画像及び／またはテキストデータを、画像／テキストデータのタイムスタンプ情報とともに蓄積している。この画像及び／またはテキストデータは、ユーザに配布するクーポンを表象する。例えば、店舗ないし事業者のコーポレートイメージや写真、イラスト等を待受画像データとし、クーポンの内容をテキストデータとして、待受画像及びテキストを配信する。そして、これら待受画像データ、テキストデータの各々に関連づけて、別々に有効期間の情報を記述しておくようにすれば、特定の時間帯または日に即時的にテキストのみを差し替え、その表示画面をクーポンとして使って貰うことができるようになる。携帯電話端末１に送信したクーポンの画面表示例を、図１６に示している。無論、テキスト５３ではなく、画像４３自体にクーポンの内容を描画していても構わない。
【００５５】
本実施形態のサーバ装置３のクーポン識別子記憶部３０６は、メインメモリ３ｂまたは補助記憶デバイス３ｃの記憶領域を利用して、携帯電話端末１に対して画像またはテキストを送信することを通じて発行したクーポンを識別するクーポン識別子を記憶する。本実施形態では、発行済みかつ未使用のクーポンに係るクーポン識別子を、その発行日時を示すタイムスタンプとともに蓄積している。
【００５６】
クーポン識別子は、クーポンを発行するとき、即ち画像送信部３０４がクーポンを表象する画像及び／またはテキストを携帯電話端末１に向けて送信するときに（乱数やサーバ装置３内のタイマ等を利用して）一意の識別子として生成し、画像及び／またはテキストの一部に含めて携帯電話端末１に送信するとともに、クーポン識別子記憶部３０６に格納する。但し、画像蓄積部３０１に蓄積している画像またはテキストに、予めクーポン識別子を記述していてもよい。その場合には、携帯電話端末１に送信した当該画像または当該テキストに記述されているクーポン識別子を、クーポン識別子記憶部３０６に格納する。何れにせよ、図１６に示しているように、このクーポン識別子５４は、待受画像４３または待受画像に重畳したテキスト５３（の一部）として携帯電話端末１のディスプレイ１ｅに表示される。
【００５７】
クーポン識別子受信部３０７は、店舗側端末６から送信されるクーポン識別子を受信する。店舗において、ユーザが使用しようとしている、携帯電話端末１のディスプレイ１ｅに表示されたクーポンを視認した店員等は、クーポン内に記載のクーポン識別子を操作入力デバイス６ｆを介して店舗側端末６に手入力し、サーバ装置３に向けてアップロードする。これらのやりとりには、ウェブフォーム、電子メール等の既知のプロトコルが用いられる。クーポン識別子受信部３０７は、店舗側端末６からアップロードされるクーポン識別子を受信する。
【００５８】
判断結果送信部３０８は、店舗側端末６から受信したクーポン識別子と、クーポン識別子記憶部３０６に記憶しているクーポン識別子と比較することにより、店舗で使用されようとしているクーポンが使用可能であるか否かを判断する。そして、その判断結果の情報を、店舗側端末６に向けて送信する。本実施形態において、クーポン識別子記憶部３０６に蓄積しているクーポン識別子のリストは、発行済みかつ未使用のもの、つまり使用を許可できるものを示す。よって、受信したクーポン識別子がクーポン識別子記憶部３０６に蓄積しているリスト中に存在していればクーポンが使用可能であると判断し、存在していなければクーポンは使用不可能であると判断する。しかる後、この判断結果の情報を、ウェブぺージ、電子メールその他適宜の形態で店舗側端末６に返信する。並びに、使用可能であると判断したクーポンに係るクーポン識別子を、既に使用されたものとしてクーポン識別子記憶部３０６から削除、消去する。
【００５９】
サーバ装置３からもたらされる判断結果の情報を受信した店舗側端末６は、これをディスプレイ６ｅに画面表示する。店舗の店員等は、この判断結果の情報を参照して、クーポンの使用可否を決定することができる。
【００６０】
クーポンとなる待受画像及び／またはテキストの配信に際して、携帯電話端末１及びサーバ装置３が実行する処理の手順を、図１７及び図１８のフローチャートに示す。携帯電話端末１は、電源投入時や携帯電話端末１の筐体が開かれたとき等の、待受画像の非表示状態から表示状態へと遷移する契機に（ステップＳ２１）、サーバ装置３に向けて要求を送信する（ステップＳ２２）。
【００６１】
サーバ装置３は、携帯電話端末１から送信される要求を受信したとき（ステップＳ２３）、この要求に含まれるユーザの識別子をキーとしてユーザ情報蓄積部３０２を検索し、当該ユーザの所望するジャンルの識別子を知得する（ステップＳ２４）。次いで、所望ジャンルの識別子をキーとして画像蓄積部３０１を検索し、現時点が有効期間に含まれる画像及び／またはテキストを選び出す（ステップＳ２５）。そして、選び出した画像／テキストのタイムスタンプ情報を、携帯電話端末１に向けて送信する（ステップＳ２６）。
【００６２】
携帯電話端末１は、サーバ装置３から画像／テキストのタイムスタンプ情報が返信されてきたときにこれを受信し（ステップＳ２７）、画像記憶部１０３に記憶している画像／テキストのタイムスタンプ情報と比較する（ステップＳ２８）。受信したタイムスタンプ情報が画像記憶部１０３に記憶しているタイムスタンプ情報よりも新しければ、実際の画像／テキストデータのダウンロード要求を発する（ステップＳ２９）。
【００６３】
サーバ装置３は、実際のダウンロード要求を受信してはじめて（ステップＳ３０）、対象の画像／テキストデータを携帯電話端末１に配信する。このとき、一意のクーポン識別子を生成し（ステップＳ３１）、画像／テキストデータに含めて携帯電話端末１に向けて送信する（ステップＳ３２）とともに、このクーポン識別子をクーポン識別子記憶部３０６に蓄積する（ステップＳ３３）。
【００６４】
携帯電話端末１は、サーバ装置３から画像／テキストが返信されてきたときにこれを受信し（ステップＳ３４）、タイムスタンプ情報とともに画像記憶部１０３に記憶する（ステップＳ３５）。
【００６５】
しかして、携帯電話端末１は、画像記憶部１０３に記憶している画像／テキストを読み出し（ステップＳ３６）、その画像／テキストを待受画像としてディスプレイ１ｅの画面に表示させる（ステップＳ３７）。ステップＳ３７で表示している画像／テキストが、店舗において使用可能なクーポンとなる。このクーポン中には、クーポンの内容とともにクーポン識別子が記載されている。
【００６６】
クーポンの使用に際してサーバ装置３が実行する処理の手順を、図１９のフローチャートに示す。店舗等においてクーポンが使用されるにあたっては、ユーザから携帯電話端末１の提示を受けた店員等が、ディスプレイ１ｅに表示されているクーポン識別子を店舗側端末６に入力、店舗側端末６からサーバ装置３に向けて送信する。サーバ装置３は、店舗側端末６から送信されるクーポン識別子を受信したとき（ステップＳ３８）、受信したクーポン識別子とクーポン識別子記憶部３０６に記憶しているクーポン識別子とを比較して、店舗で使用されようとしているクーポンの使用可否を判断する（ステップＳ３９）。そして、この判断結果の情報を店舗側端末６に返信する（ステップＳ４０、Ｓ４２）。また、クーポンを使用可能とする旨の判断を下した場合、ステップＳ４０と相前後して、受信したクーポン識別子と同一の識別子をクーポン識別子記憶部３０６から削除する（ステップＳ４１）。サーバ装置３が送信した判断結果の情報は、店舗側端末６のディスプレイ６ｅに表示され、店員等によって確認される。
【００６７】
本実施形態によれば、クーポンを表象する画像またはテキストの一部にクーポンを識別するクーポン識別子を含ませ、携帯電話端末１のディスプレイ１ｅにクーポンの内容とともにクーポン識別子を表示させることとし、さらに、サーバ装置３に、携帯電話端末１に対し前記画像または前記テキストを送信することを通じて発行したクーポンを識別するクーポン識別子を記憶するクーポン識別子記憶部３０６と、店舗に設置され電気通信回線を介して通信可能な店舗側端末６からもたらされるクーポン識別子を受信するクーポン識別子受信部３０７と、受信したクーポン識別子をクーポン識別子記憶部３０６に記憶しているクーポン識別子と比較することにより、店舗で使用されようとしているクーポンが使用可能であるか否かを判断してその判断結果の情報を店舗側端末６に向けて送信する判断結果送信部３０８とを具備させたシステムを構成したため、店舗の店員等が店舗側端末６を介して携帯電話端末１のディスプレイ１ｅに表示されているクーポンの未使用性を確認することができる。従って、携帯電話端末１のユーザに配布したクーポンについて、使用済みのものを事実上無効化する機能が具現されることとなる。
【００６８】
また、クーポン識別子を携帯電話端末１のディスプレイ１ｅに表示させ、これを視認した者が店舗側端末６に当該クーポン識別子を手入力するようにしていることから、ＲＦＩＤ（Ｒａｄｉｏ  Ｆｒｅｑｕｅｎｃｙ  ＩＤｅｎｔｉｆｉｃａｔｉｏｎ）リーダ／ライタ等を含む専用の機器または設備を各店舗に配備する必要がない。市販されている汎用的なパーソナルコンピュータ等を店舗側端末６として用いることができるので、システムに参加する店舗ないし事業者のコスト負担が軽減する。
【００６９】
加えて、クーポンが使用されようとしている事実をサーバ装置３が関知できるため、使用されたクーポンの枚数等をサーバ装置３で集計して宣伝効果、プロモーション効果を推し量るといったことも可能になる。
【００７０】
なお、上記実施形態では、発行済みかつ未使用のクーポンのクーポン識別子をクーポン識別子記憶部３０６に蓄積していたが、これとは逆に、使用済みのクーポンのクーポン識別子をクーポン識別子記憶部３０６に蓄積するようにしてもよい。この場合には、上述のステップＳ３３を実施しない。並びに、ステップＳ３９にて、受信したクーポン識別子と同一の識別子がクーポン識別子記憶部３０６に記憶されていないことを条件として、クーポンの使用を許可する旨の判断を下す。ステップＳ４１では、使用されたクーポンのクーポン識別子をクーポン識別子記憶部３０６から削除するのではなく、クーポン識別子記憶部３０６に記憶する。
【００７１】
＜第三実施形態＞第三実施形態は、第一実施形態の待受画像配信システムにおいて、サーバ装置３から携帯電話端末１に一度に複数の待受画像を送信して携帯電話端末１に記憶させ、複数の画像の中からディスプレイ１ｅに表示させる画像をユーザが適宜に切り替えできるようにしたものである。以降、第一実施形態との相異点を中心に説明する。特記しない事項については、第一実施形態または第二実施形態と同様に構成してよい。
【００７２】
本実施形態における携帯電話端末１は、プログラムに従ってハードウェア資源を作動し、図２０に示すように、要求送信部１０１、画像受信部１０２、画像記憶部１０３、表示制御部１０４に加え、ユーザ操作受付部１０５としての機能をも発揮する。
【００７３】
ユーザ操作受付部１０５は、ユーザの手による、ユーザの特定の意思を表す操作入力を、操作入力デバイス１ｆを介して受け付ける。本実施形態では、サーバ装置３から配信され、画像記憶部１０３に記憶している複数の待受画像の中から、何れの画像を待受画像としてディスプレイに１ｅに表示させるべきかに関するユーザの選択を受け付ける。例えば、図２１に示すように、ディスプレイ１ｅの画面内の一部に待受画像の切り換えを指示するためのアイコン７６を表示させておき、ユーザがこのアイコン７６に対して行う（カーソル７７をアイコン７６に合わせて所定のキー（上キーまたは下キー）を押下する等の）操作を受け付ける。
【００７４】
待受画像の配信に際して、携帯電話端末１及びサーバ装置３が実行する処理の手順を、図２２及び図２３のフローチャートに示す。携帯電話端末１は、電源投入時や携帯電話端末１の筐体が開かれたとき等の、待受画像の非表示状態から表示状態へと遷移する契機に（ステップＳ４３）、サーバ装置３に向けて要求を送信する（ステップＳ４４）。
【００７５】
サーバ装置３は、携帯電話端末１から送信される要求を受信したとき（ステップＳ４５）、この要求に含まれるユーザの識別子をキーとしてユーザ情報蓄積部３０２を検索し、当該ユーザの所望するジャンルの識別子を知得する（ステップＳ４６）。次いで、所望ジャンルの識別子をキーとして画像蓄積部３０１を検索し、現時点が有効期間に含まれる画像を選び出す（ステップＳ４７）。そして、当該ジャンルに属する画像の最終更新日時のタイムスタンプ情報を、携帯電話端末１に向けて送信する（ステップＳ４８）。
【００７６】
携帯電話端末１は、サーバ装置３から画像のタイムスタンプ情報が返信されてきたときにこれを受信し（ステップＳ４９）、画像記憶部１０３に記憶している最終更新日時のタイムスタンプ情報と比較する（ステップＳ５０）。受信したタイムスタンプ情報が画像記憶部１０３に記憶しているタイムスタンプ情報よりも新しければ、実際の画像のダウンロード要求を発する（ステップＳ５１）。
【００７７】
サーバ装置３は、実際のダウンロード要求を受信してはじめて（ステップＳ５２）、選び出した複数枚の画像を携帯電話端末１に配信する（ステップＳ５３）。ステップＳ５３にて、選び出した画像の総枚数ｎ（ｎは自然数）が携帯電話端末１の画像記憶部１０３に蓄積可能な枚数ｉ（ｉは自然数）を超えている場合、選び出したｎ枚の画像のうちのｉ枚だけを携帯電話端末１に向けて送信する。
【００７８】
携帯電話端末１は、サーバ装置３から画像が返信されてきたときにこれを受信し（ステップＳ５４）、タイムスタンプ情報とともに画像記憶部１０３に記憶する（ステップＳ５５）。
【００７９】
しかして、携帯電話端末１は、画像記憶部１０３に記憶している画像のうちの一枚を読み出し（ステップＳ５６）、その画像を待受画像としてディスプレイ１ｅの画面に表示させる（ステップＳ５７）。
【００８０】
携帯電話端末１のディスプレイ１ｅに表示する待受画像の切り替えに際して、携帯電話端末１及びサーバ装置３が実行する処理の手順を、図２４及び図２５のフローチャートに示す。携帯電話端末１の表示制御部１０４は、ユーザの手による、待受画像を切り替えるべき旨の操作入力を受け付けた都度（ステップＳ５８）、ディスプレイ１ｅに表示させる待受画像を切り替える。
【００８１】
例えば、現在ｋ番目（ｋは自然数、１≦ｋ≦ｎ）の画像を表示している状況の下で、次の画像を表示させるためのキー（上キー等）が押下されたのであれば、ｍ＝（ｋ＋１）番目の画像を画像記憶部１０３から読み出して表示する。前の画像を表示させるためのキー（下キー等）が押下されたのであれば、ｍ＝（ｋ−１）番目の画像を画像記憶部１０３から読み出して表示する。しかし、ｎ＞ｉである場合、このｍ番目の画像が画像記憶部１０３に記憶されていないということが起こり得る。
【００８２】
ｍ番目の画像が画像記憶部１０３に存在せず（ステップＳ５９）、ｍ番目の画像を読み出すことができなければ、要求送信部１０１がそのｍ番目の画像をダウンロードするための要求をサーバ装置３に向けて送信する（ステップＳ６０）。ダウンロード要求には、ユーザが所望した画像の番号ｍが含まれる。
【００８３】
サーバ装置３の要求受信部３０３は、上記のダウンロード要求を受信する（ステップＳ６１）。ダウンロード要求を受信したとき、画像送信部３０４は、ダウンロード要求に対応したｍ番目の画像を画像蓄積部３０１から読み出して（ステップＳ６２）。携帯電話端末１に向けて送信する（ステップＳ６３）。
【００８４】
携帯電話端末１の画像受信部１０２は、サーバ装置３からｍ番目の画像が返信されてきたときにこれを受信し（ステップＳ６４）、画像記憶部１０３に記憶する（ステップＳ６５）。同時に、画像記憶部１０３に既に蓄積している画像のうちのｌ番目（ｌは自然数、ｍ＝ｋ＋１ならばｌ＝ｍ−ｉ、ｍ＝ｋ−１ならばｌ＝ｍ＋ｉ）の画像を画像記憶部１０３から削除、消去する（ステップＳ６６）。
【００８５】
しかして、表示制御部１０４は、画像記憶部１０３に記憶しているｍ番目の画像を読み出し（ステップＳ６５）、その画像を待受画像としてディスプレイ１ｅの画面に表示させる（ステップＳ６７）。
【００８６】
サーバ装置３がｎ枚の待受画像を一挙に携帯電話端末１に配信しようとしても、その全てを携帯電話端末１に記憶させることができるとは限らない。携帯電話端末１に実装されている記憶デバイス１ｂ、１ｃの容量は限られており、しかもアプリケーションプログラムが自由に使用できる領域はさらに少ない。本実施形態によれば、携帯電話端末１の記憶デバイス１ｂ、１ｃの記憶領域の消費量を抑制しつつも、ユーザの任意に応じて複数枚の待受画像の中から所望の画像をディスプレイ１ｅに表示させることが可能となる。
【００８７】
＜第四実施形態＞第四実施形態は、第一実施形態の待受画像配信システムにおいて、待受画像の一部をなす複数のアイコン画像を携帯電話端末１のディスプレイ１ｅに表示させ、併せて、各アイコンに付随して各アイコン毎のテキストを表示できるようにしたものである。以降、第一実施形態との相異点を中心に説明する。特記しない事項については、第一実施形態、第二実施形態または第三実施形態と同様に構成してよい。
【００８８】
はじめに、アイコンに関して述べる。携帯電話端末１上でのアイコンの表示例を、図２６に示す。本実施形態では、芸能人やアーティスト、スポーツ選手等の紹介、ＰＲまたはプロモーションを意図したウェブサイトとの連動を図ることを想定している。各アイコン７１、７２、７３、７４、７５は、そのアイコン７１、７２、７３、７４、７５に対応した機能を規定するＵＲＩ（Ｕｎｉｆｏｒｍ  Ｒｅｓｏｕｒｃｅ  Ｉｄｅｎｔｉｆｉｅｒ）と関連づけられている。具体例を列挙すると、「インフォメーション」アイコン７１は芸能人等のプロフィールや各種商品等を紹介するウェブページのＵＲＩと、「ブログ」アイコン７２は芸能人等が著述するブログのページのＵＲＩと、「スケジュール」アイコン７３は芸能人等の活動スケジュールを紹介するウェブページのＵＲＩと、「メール」アイコン７４はファンレター等の送信の宛先となるメールアドレスのＵＲＩと、それぞれ関連づけられている。各アイコン７１、７２、７３、７４、７５の画像、ＵＲＩ並びに各アイコンに付随したテキストは、ジャンル識別子によって識別されるジャンル毎に、換言すれば芸能人等の各人毎に個別のものとして存在している。アイコンの総数もまた、芸能人等の各人毎に異なり得る。
【００８９】
携帯電話端末１には、芸能人等のウェブサイトにアクセスするためのウェブブラウザプログラムや、メールを送受信するための電子メールクライアントプログラム等が予めインストールされている。また、この携帯電話端末１は、図２０に示しているように、要求送信部１０１、画像受信部１０２、画像記憶部１０３、表示制御部１０４に加え、ユーザ操作受付部１０５としての機能をも発揮する。
【００９０】
本実施形態において、画像記憶部１０３は、サーバ装置３から配信された、アイコン画像、ＵＲＩ及びテキストの各データを記憶する。例えば、図２７に示すように、アイコン画像、ＵＲＩ及びテキストをそれぞれ当該アイコンを識別する識別子に関連づけて蓄積している。なおかつ、テキストについては、当該テキストのタイムスタンプ情報をも記憶する。タイムスタンプ情報は、テキストデータとともにサーバ装置３からもたらされるものである。
【００９１】
ユーザ操作受付部１０５は、ディスプレイ１ｅに表示しているアイコン７１、７２、７３、７４、７５の中から、ユーザが所望する機能を発現するアイコンを選択してその機能を起動するための（ユーザがカーソル７７を所望のアイコンに合わせて所定のキーを押下する等の）操作入力を受け付ける。ユーザの操作により何れかのアイコンが選択された（何れかのアイコン画像にカーソル７７が合わせられた）とき、表示制御部１０４は、そのカーソル７７が合わせられたアイコンの識別子に関連づけて記憶されているテキストを画像記憶部１０３から読み出し、ディスプレイ１ｅの画面中に表示させる。図２６に示した例では、「ブログ」アイコン７２に関連づけられているテキスト８１を表示させている。
【００９２】
さらに、ユーザの操作により何れかのアイコン７１、７２、７３、７４、７５の機能が起動された（機能起動用の所定のキーが押下されたとき）には、カーソル７７が合わせられているアイコンの識別子に関連づけて記憶されているＵＲＩを画像記憶部１０３から読み出すとともに、読み出したＵＲＩを参照してネットワーク上のリソースにアクセスを行う。ＵＲＩがＨＴＴＰ（ＨｙｐｅｒＴｅｘｔ  Ｔｒａｎｓｆｅｒ  Ｐｒｏｔｏｃｏｌ）アドレスである場合には、ウェブブラウザプログラムを立ち上げ、ウェブブラウザプログラムの機能を利用して当該ＨＴＴＰアドレスで指定されたウェブページ等のリソースにアクセスする。ＵＲＩがメールアドレスである場合には、電子メールクライアントプログラムを立ち上げ、メールクライアントプログラムの機能を利用して当該メールアドレスを宛先とした電子メールの作成及び送信を受け付ける。
【００９３】
また、本実施形態では、ユーザが、自身の意思に応じて、各アイコンの表示／非表示を切り替えることができる。図２７に例示しているように、画像記憶部１０３は、アイコンを表示するか否かを規定する情報を、各アイコン毎に、アイコンを識別する識別子に関連づけて記憶している。ユーザ操作受付部１０５は、ユーザの手による、各アイコンの表示／非表示を切り替える旨の操作入力を受け付ける。そして、その操作内容に応じて、画像記憶部１０３が記憶している情報を書き換える。表示制御部１０４は、ディスプレイ１ｅにアイコン画像を表示するにあたり、画像記憶部１０３が記憶しているこの情報を読んだ上で、表示するべきアイコンのみを表示させる。
【００９４】
翻って、サーバ装置３の画像蓄積部３０１は、図２８に例示するように、各アイコンの識別子、アイコン画像、ＵＲＩ及びアイコンに付随するテキストを、当該アイコンの組の属するジャンルの識別子に関連づけて蓄積している。テキストデータには、テキストのタイムスタンプ情報、テキストの有効期間を規定する情報を付帯させている。
【００９５】
待受画像の一部をなすアイコン画像の配信に際して、携帯電話端末１及びサーバ装置３が実行する処理の手順を、図２９及び図  ３０のフローチャートに示す。携帯電話端末１のユーザは当初、自身が興味を抱いているジャンル、つまり待受画像等の配信を希望する芸能人等を選択する操作を行う。その操作入力を受け付けた（ステップＳ６８）携帯電話端末１は、ユーザが選択したジャンルの識別子を含む要求を、サーバ装置３に向けて発信する（ステップＳ６９）。
【００９６】
サーバ装置３は、携帯電話端末１から送信される要求を受信したとき（ステップＳ７０）、この要求に含まれるユーザの識別子及びジャンルの識別子を対にしてユーザ情報蓄積部３０２に格納する（ステップＳ７１）。次いで、所望ジャンルの識別子をキーとして画像蓄積部３０１を検索し、同識別子に関連づけられているアイコン画像、ＵＲＩ及びテキストの組を選び出す（ステップＳ７２）。そして、選び出したアイコン画像、ＵＲＩ及びテキストの組を携帯電話端末１に送信する（ステップＳ７３）。
【００９７】
携帯電話端末１は、サーバ装置３からアイコン画像等が返信されてきたときにこれを受信し（ステップＳ７４）、画像記憶部１０３に記憶する（ステップＳ７５）。
【００９８】
しかして、携帯電話端末１は、画像記憶部１０３に記憶しているアイコン画像を読み出し（ステップＳ７６）、ディスプレイ１ｅの画面に表示させる（ステップＳ７７）。ステップＳ７６及びＳ７７では、各アイコンを表示するか否かを規定する情報を参照した上、表示するべきアイコンについてのみ、その画像を読み出して画面に描画する。並びに、携帯電話端末１は、ユーザの操作を通じて選択された（カーソル７７が合わせられた）アイコンに付随するテキストを読み出し（ステップＳ７８）、ディスプレイ１ｅの画面に表示させる（ステップＳ７９）。
【００９９】
アイコン画像に付随して表示させるテキストの更新に際して、携帯電話端末１及びサーバ装置３が実行する処理の手順を、図３１及び図３２のフローチャートに示す。携帯電話端末１は、電源投入時や携帯電話端末１の筐体が開かれたとき等の、待受画像の非表示状態から表示状態へと遷移する契機に（ステップＳ８０）、サーバ装置３に向けて要求を送信する（ステップＳ８１）。
【０１００】
サーバ装置３は、携帯電話端末１から送信される要求を受信したとき（ステップＳ８２）、この要求に含まれるユーザの識別子をキーとしてユーザ情報蓄積部３０２を検索し、当該ユーザの所望するジャンルの識別子を知得する（ステップＳ８３）。次いで、所望ジャンルの識別子をキーとして画像蓄積部３０１を検索し、現時点が有効期間に含まれるテキストを選び出す（ステップＳ８４）。そして、当該ジャンルに属するテキストの最終更新日時のタイムスタンプ情報を、携帯電話端末１に向けて送信する（ステップＳ８５）。
【０１０１】
携帯電話端末１は、サーバ装置３からテキストのタイムスタンプ情報が返信されてきたときにこれを受信し（ステップＳ８６）、画像記憶部１０３に記憶している最終更新日時のタイムスタンプ情報と比較する（ステップＳ８７）。受信したタイムスタンプ情報が画像記憶部１０３に記憶しているタイムスタンプ情報よりも新しければ、実際のテキストのダウンロード要求を発する（ステップＳ８８）。
【０１０２】
サーバ装置３は、実際のダウンロード要求を受信してはじめて（ステップＳ８９）、選び出したテキストを、アイコンを識別する識別子とともに携帯電話端末１に配信する（ステップＳ９０）。
【０１０３】
携帯電話端末１は、サーバ装置３からテキスト及びアイコンを識別する識別子が返信されてきたときにこれを受信し（ステップＳ９１）、タイムスタンプ情報とともに画像記憶部１０３に記憶する（ステップＳ９２）。
【０１０４】
しかして、携帯電話端末１は、ステップＳ７６ないしＳ７９と同様に、アイコン画像を読み出し（ステップＳ９３）、アイコン画像をディスプレイ１ｅの画面に表示させ（ステップＳ９４）、ユーザの操作を通じて選択されたアイコンに付随するテキストを読み出し（ステップＳ９５）、テキストをディスプレイ１ｅの画面に表示させる（ステップＳ９６）。
【０１０５】
本実施形態によれば、携帯電話端末１のディスプレイ１ｅに待受画像の一部として表示するアイコン画像、アイコン画像に対応した機能を規定するＵＲＩ及びアイコン画像に付随して表示するテキストを配信するシステムであって、携帯電話端末１が、待受画像の非表示状態と表示状態との間の遷移の契機にサーバ装置に向けて要求を送信する要求送信部１０１と、要求に対応してサーバ装置３からもたらされる少なくともテキストを受信する画像受信部１０２と、受信したテキスト及びアイコン画像、アイコン画像に対応したＵＲＩを記憶する画像記憶部１０３と、画像記憶部１０３に記憶しているアイコン画像を待受画像の一部としてディスプレイ１ｅに表示させ、かつ画像記憶部１０３に記憶しているテキストをアイコン画像に付随して表示させる表示制御部１０４とを具備し、サーバ装置３が、少なくとも配信用のテキストをそのテキストの有効期間を規定する情報に関連づけて蓄積する画像蓄積部３０１と、携帯電話端末１からもたらされる要求を受信する要求受信部３０３と、少なくとも画像蓄積部３０１に蓄積しているテキストの中から要求を受信した時点で有効であるテキストを選び出して携帯電話端末１に向けて送信する画像送信部３０４とを具備する待受画像配信システムを構成したため、ユーザから見れば、特段の入力操作を行わずとも勝手にアイコンに付随するテキスト情報が更新されるという、簡便かつ自然なユーザビリティが具現される。芸能人等の紹介、ＰＲまたはプロモーション用ウェブサイトの提供者から見れば、ユーザの携帯電話端末１に、任意のテキストを任意の時期に表示させることができ、これを媒体として宣伝や広報を実施したりすることが可能になる。
【０１０６】
なお、上記実施形態では、アイコンに付随するテキストについてのみ有効期間を設定していたが、アイコン画像またはＵＲＩについて有効期間を設定するようにしてもよいことは言うまでもない。即ち、サーバ装置３の画像蓄積部３０１に、各アイコン画像及び／または各ＵＲＩの有効期間の情報を格納しておくとともに、ステップＳ８３にて、現時点が有効期間に含まれるアイコン画像／ＵＲＩを選び出し、ステップＳ８９にて、選び出したアイコン画像／ＵＲＩを携帯電話端末１に送信するという態様をとることができる。この場合、日時の経過に従い、携帯電話端末１の画像記憶部１０３に記憶しているアイコン画像／ＵＲＩが、ユーザの手によらず更新されることとなる。
【０１０７】
本発明は以上に詳述した実施形態に限られるものではない。各部の具体的構成や処理の手順等は、本発明の趣旨を逸脱しない範囲で種々変形が可能である。
【産業上の利用可能性】
【０１０８】
本発明は、携帯電話端末のディスプレイに表示される待受画像を擬似プッシュ配信するシステムとして利用することができる。
【符号の説明】
【０１０９】
１…携帯電話端末
１０１…要求送信部
１０２…画像受信部
１０３…画像記憶部
１０４…表示制御部
１０５…ユーザ操作受付部
２…情報処理端末
３…サーバ装置
３０１…画像蓄積部
３０３…要求受信部
３０４…画像送信部
３０５…設定受信部
３０６…クーポン識別子記憶部
３０７…クーポン識別子受信部
３０８…判断結果送信部
６…店舗側端末
【図１】
2010081590.tif 000003
【図２】
2010081590.tif 000004
【図３】
2010081590.tif 000005
【図４】
2010081590.tif 000006
【図５】
2010081590.tif 000007
【図６】
2010081590.tif 000008
【図７】
2010081590.tif 000009
【図８】
2010081590.tif 000010
【図９】
2010081590.tif 000011
【図１０】
2010081590.tif 000012
【図１１】
2010081590.tif 000013
【図１２】
2010081590.tif 000014
【図１３】
2010081590.tif 000015
【図１４】
2010081590.tif 000016
【図１５】
2010081590.tif 000017
【図１６】
2010081590.tif 000018
【図１７】
2010081590.tif 000019
【図１８】
2010081590.tif 000020
【図１９】
2010081590.tif 000021
【図２０】
2010081590.tif 000022
【図２１】
2010081590.tif 000023
【図２２】
2010081590.tif 000024
【図２３】
2010081590.tif 000025
【図２４】
2010081590.tif 000026
【図２５】
2010081590.tif 000027
【図２６】
2010081590.tif 000028
【図２７】
2010081590.tif 000029
【図２８】
2010081590.tif 000030
【図２９】
2010081590.tif 000031
【図３０】
2010081590.tif 000032
【図３１】
2010081590.tif 000033
【図３２】
2010081590.tif 000034